(57)【要約】【課題】  ラッチ装置を施錠状態から解錠状態にしたり、解錠状態から施錠状態にしたりするため、キーの回転角度を可級的に小さくして操作性を向上することができるラッチ装置を提供すること。【解決手段】  ラッチケース２０内に配置されラッチケース２０から突出して掛け止めするラッチ位置Ｐ１とラッチケース２０内に引き込まれて掛け外しする非ラッチ位置Ｐ１との間を進退するラッチ部材３０と、キーが差し込まれるローター４２を一方向に回転してラッチ部材３０をラッチ位置Ｐ１に前進しローター４２を他方向に回転してラッチ部材３０を非ラッチ位置Ｐ１に後退するようにし、ラッチ部材３０が非ラッチ位置Ｐ２からラッチ位置Ｐ１に駆動された後又はその逆の操作の後、ローター４２をその周りに配置された巻きばねによって駆動前の初期位置の方向に復帰するように付勢している。【選択図】図５
2010163839.tif 000002
【特許請求の範囲】
【請求項１】
ラッチケースと、前記ラッチケース内に配置され前記ラッチケースから突出して掛け止めするラッチ位置と前記ラッチケース内に引き込まれて掛け外しする非ラッチ位置との間を進退するラッチ部材と、ローターを含んでいて前記ローターを一方向に回転して前記ラッチ部材を前記ラッチ位置に前進し前記ローターを他方向に回転して前記ラッチ部材を前記非ラッチ位置に後退するラッチ駆動手段と、前記ラッチ部材を前記ラッチ位置に保持するロック手段とを備えたラッチ装置において、前記ラッチ部材が前記非ラッチ位置から前記ラッチ位置に駆動された後前記ローターを初期状態に復帰し、あるいは、前記ラッチ位置から前記非ラッチ位置に駆動された後前記ローターを初期状態に復帰するように付勢するローター付勢手段を更に備えていることを特徴とするラッチ装置。
【請求項２】
ラッチケースと、前記ラッチケース内に配置され前記ラッチケースから突出して掛け止めするラッチ位置と前記ラッチケース内に引き込まれて掛け外しする非ラッチ位置との間を進退するラッチ部材と、ローターを含んでいて前記ローターを一方向に回転して前記ラッチ部材を前記ラッチ位置に前進し前記ローターを他方向に回転して前記ラッチ部材を前記非ラッチ位置に後退するラッチ駆動手段と、前記ラッチ部材を前記ラッチ位置に保持するロック手段とを備えたラッチ装置において、前記ラッチ部材が前記非ラッチ位置から前記ラッチ位置に駆動された後前記ローターを初期状態に復帰するように付勢し且つ前記ラッチ位置から前記非ラッチ位置に駆動された後前記ローターを初期状態に復帰するように付勢するローター付勢手段を更に備えていることを特徴とするラッチ装置。
【請求項３】
請求項１に記載のラッチ装置であって、前記ラッチ駆動手段は、前記ローターによって駆動されるラッチ駆動部材を含み、前記ローターは、前記ラッチ駆動部材に対して所定角度相対回転することができるように組み付けられていることを特徴とするラッチ装置。
【請求項４】
請求項１に記載のラッチ装置であって、前記ラッチ駆動手段は、前記ローターによって駆動されるラッチ駆動部材を含み、前記ローターは、前記ラッチ駆動部材と一緒に回転するように前記ラッチ駆動部材に組み付けられ、前記ラッチ部材は、前記ラッチ部材の前記非ラッチ位置で前記ローター付勢手段によって前記ラッチ駆動部材に係合する係合部を有することを特徴とするラッチ装置。
【請求項５】
請求項１乃至３のいずれかに記載のラッチ装置であって、前記ローター付勢手段は、前記ローターの周りに配置されて前記ローターに係止される係止部を有する巻きばねから成っていることを特徴とするラッチ装置。
【発明の詳細な説明】
【技術分野】
【０００１】
本発明は、例えば、扉をその保持枠に対して施錠したり、解錠したりするのに用いられるラッチ装置に関し、特にラッチ部材の進退用ラッチ駆動部材を駆動するローターを改良したラッチ装置に関するものである。
【背景技術】
【０００２】
従来技術のラッチ装置の一例が特許文献１に示されている。この特許文献１に示すように、ラッチ装置は、一般に、ラッチケース１と、このラッチケース１内に配置されラッチケース１から突出して掛け止めするラッチ位置（図１Ｂ）とラッチケース１内に引き込まれて掛け外しする非ラッチ位置（図１Ａ）との間を進退するラッチ部材２と、ラッチ駆動部材５を回転駆動する図示しないローターを含んでいてこのローターを一方向に回転してラッチ駆動部材５を介してラッチ部材２をラッチ位置に前進しローターを他方向に回転してラッチ部材２を非ラッチ位置に後退するラッチ駆動手段と、ラッチ部材２をラッチ位置に保持するロック手段１０とを備えている。
【０００３】
ローターは、図示しないキーをローターのキー穴に差し込んでキーを介して回転するが、この場合、ラッチ部材の非ラッチ位置に相応するローターの第１の位置からキーと共にローターを一方向に回転してラッチ部材をラッチ位置とすると、ローターは、その位置（第２の位置）で停止し、またローターをこの第２の位置から反対方向に回転してラッチ部材を非ラッチ位置とすると、ローターは、第１の位置に戻る。このローターの第１の位置と第２の位置とは、約９０度間隔をあけており、従って、ラッチ部材をラッチ位置と非ラッチ部材との間を移動させるためには、ローター、即ちキーを９０度と大きな角度で回転しなければならないので、ラッチ装置の操作性が低い欠点があった。
【先行技術文献】
【特許文献】
【０００４】
【特許文献１】特開２００６−２８７６４号公報
【発明の概要】
【発明が解決しようとする課題】
【０００５】
本発明が解決しようとする第１の課題は、ラッチ装置を施錠状態から解錠状態にするために、キーの回転角度を可級的に小さくして操作性を向上することができるラッチ装置を提供することにある。
【０００６】
本発明が解決しようとする第２の課題は、ラッチ装置を施錠状態から解錠状態にするため及び解錠状態から施錠状態にするため、キーの回転角度を可級的に小さくして操作性を向上することができるラッチ装置を提供することにある。
【課題を解決するための手段】
【０００７】
本発明の第１の課題解決手段は、ラッチケースと、このラッチケース内に配置されラッチケースから突出して掛け止めするラッチ位置とラッチケース内に引き込まれて掛け外しする非ラッチ位置との間を進退するラッチ部材と、ローターを含んでいてこのローターを一方向に回転してラッチ部材をラッチ位置に前進しローターを他方向に回転してラッチ部材を非ラッチ位置に後退するラッチ駆動手段と、ラッチ部材をラッチ位置に保持するロック手段とを備えたラッチ装置において、前記ラッチ部材が前記非ラッチ位置から前記ラッチ位置に駆動された後前記ローターを初期状態に復帰し、あるいは、前記ラッチ位置から前記非ラッチ位置に駆動された後前記ローターを初期状態に復帰するように付勢するローター付勢手段を更に備えていることを特徴とするラッチ装置を提供することにある。
【０００８】
本発明の課題解決手段において、ラッチケースと、前記ラッチケース内に配置され前記ラッチケースから突出して掛け止めするラッチ位置と前記ラッチケース内に引き込まれて掛け外しする非ラッチ位置との間を進退するラッチ部材と、ローターを含んでいて前記ローターを一方向に回転して前記ラッチ部材を前記ラッチ位置に前進し前記ローターを他方向に回転して前記ラッチ部材を前記非ラッチ位置に後退するラッチ駆動手段と、前記ラッチ部材を前記ラッチ位置に保持するロック手段とを備えたラッチ装置において、前記ラッチ部材が前記非ラッチ位置から前記ラッチ位置に駆動された後前記ローターを初期状態に復帰するように付勢し且つ前記ラッチ位置から前記非ラッチ位置に駆動された後前記ローターを初期状態に復帰するように付勢するローター付勢手段を更に備えていることを特徴とするラッチ装置を提供することにある。
【０００９】
ラッチ駆動手段は、ローターによって駆動されるラッチ駆動部材を含み、このローターがラッチ駆動部材に対して所定角度相対回転することができるように組み付けられている形態とするか、このローターがラッチ駆動部材と一緒に回転するようにラッチ駆動部材に組み付けられ、ラッチ部材がその非ラッチ位置でローター付勢手段によってラッチ駆動部材に係合する係合部を有する形態とすることができる。
【００１０】
本発明の課題解決手段において、ローター付勢手段は、ローターの周りに配置されてローターに係止される係止部を有する巻きばねから成っているのが好ましい。
【発明の効果】
【００１１】
このように、ラッチ部材がラッチ位置に保持された後、ローターをラッチ位置方向への回転前の初期位置に向けて復帰したり、ラッチ部材が非ラッチ位置に保持された後、ローターを非ラッチ位置方向への回転前の初期位置に向けて復帰したりすると、ローターに差し込まれるキーの回転角度は小さくてキー操作を簡単にすることができるので、ラッチ装置の操作性を向上することができる。
【図面の簡単な説明】
【００１２】
【図１】本発明の第１の実施の形態によるラッチ装置の正面図である。
【図２】図１のラッチ装置のＩＩ−ＩＩ１線断面図である。
【図３】図１のラッチ装置のＩＩＩ−ＩＩＩ線断面図である。
【図４】図１乃至図３のラッチ装置のラッチ駆動手段のローター側部分（把手）を示し、同図（Ａ）は、その正面図、同図（Ｂ）は、同図（Ａ）の縦断面図、同図（Ｃ）は、背面図、同図（Ｄ）は、同図（Ｂ）のＤ−Ｄ線断面図である。
【図５】図１乃至図３のラッチ装置のラッチ駆動手段の解錠操作を順次示し、同図（Ａ）は、ラッチ駆動手段の施錠状態の正面図、同図（Ｂ）乃至（Ｄ）は、同図（Ａ）の状態から解錠状態までの各部の変位を示す正面図である。
【図６】図６（Ａ）は、図５（Ｃ）のＡ−Ａ線断面図、図６（Ｂ）は、図５（Ａ）のＢ−Ｂ線断面図である。
【図７】図１乃至図３のラッチ装置のラッチ駆動手段の施錠操作を順次示し、同図（Ａ）は、ラッチ駆動手段の解錠状態の正面図、同図（Ｂ）乃至（Ｄ）は、同図（Ａ）の状態から施錠状態までの各部の変位を示す正面図である。
【図８】図１乃至図３のラッチ装置の解錠操作中のローラー付勢手段を示し、同図（Ａ）は、その正面図、同図（Ｂ）は、その背面図、同図（Ｃ）は、図４（Ｄ）に相応する断面図である。
【図９】図１乃至図３のラッチ装置の施錠操作中のローラー付勢手段を示し、同図（Ａ）は、その正面図、同図（Ｂ）は、その背面図、同図（Ｃ）
【図１０】本発明の第２の実施の形態によるラッチ装置の施錠操作を示す図７と同様の図である。
【図１１】図１０のラッチ装置の解錠操作を示す図５と同様の図である。
【図１２】図１２（Ａ）は、図１１（Ａ）のＡ−Ａ線断面図、図１２（Ｂ）は、図１１（Ａ）のＢ−Ｂ線断面図である。
【発明を実施するための形態】
【００１３】
本発明の第１の実施の形態を図面を参照して詳細に述べると、図１乃至図９は、本発明のラッチ装置１０を示し、図１乃至図３、図５（Ａ）、図７（Ｄ）の状態は、ラッチ装置１０がラッチ状態（後に述べるラッチ部材のラッチ位置）にあるのを示し、また図５（Ｄ）、図７（Ａ）は、ラッチ装置１０が非ラッチ状態（後に述べるラッチ部材の非ラッチ位置）にあるのを示している。
【００１４】
ラッチ装置１０は、図１乃至図３に示すように、略矩形状のラッチケース２０と、このラッチケース２０内に配置されラッチケース２０から突出して掛け止めするラッチ位置Ｐ１（図５（Ａ)、図７（Ｄ）参照）とラッチケース２０内に引き込まれて掛け外しする非ラッチ位置Ｐ２（図５（Ｄ）、図７（Ａ）参照）との間を進退するラッチ部材３０と、ローター４２を含んでいてこのローター４２を一方向に回転してラッチ部材３０をラッチ位置Ｐ１に前進しローター４２を他方向に回転してラッチ部材３０を非ラッチ位置Ｐ２に後退するラッチ駆動手段４０と、ラッチ部材３０をラッチ位置Ｐ１に保持するロック手段５０とを備えている。
【００１５】
ラッチケース２０は、図１に示すように、２つの取付けねじ貫通孔２２を有し、図示しない取り付けねじは、これらの取付けねじ貫通孔２２を貫通しラッチケース２０を図示しない扉等の中に固定する。このラッチケース２０は、ラッチ部材３０が扉を保持する保持枠のラッチ部材係入孔に対向するように扉に固定される。
【００１６】
ラッチ部材３０は、ラッチケース２０内の一方の壁板面に摺動自在に配置されており、ラッチケース２０は、図７及び図８に示すように、ラッチ部材３０を案内する案内壁２４、２４’を有し、ラッチ部材３０は、これらの案内壁２４、２４’に沿って案内される。ラッチ部材３０の一方の側面には案内壁２４のへこみ２４Ｒ内に係入してへこみ２４Ｒの相対する壁２４Ｒ１、２４Ｒ２に係止する突部３２を有し、へこみ２４Ｒの一方の壁２４Ｒ１は、ラッチ部材３０の突出位置を規制し（図５（Ａ）、図７（Ｄ）参照）、へこみ２４Ｒの他方の壁２４Ｒ２は、ラッチ部材３０の引き込み位置を規制する（図５（Ｄ）、図７（Ａ）参照）。また、ラッチ部材３０は、反対側の側面に切欠き３４を有し、この切欠き３４は、後に述べるロック手段５０の一部を構成する。
【００１７】
ラッチ駆動手段４０は、錠本体として機能するローター４２を含むシリンダ錠４４から成っており（図４参照）、このシリンダ錠４４は、図２及び図３に示すように、ローター４２を保持する保持筒４４Ｃを備えている。このシリンダ錠４４は、保持筒４４Ｃをラッチケース２０に固定してラッチケース２０に取り付けられている。
【００１８】
ラッチ駆動手段４０は、ローター４２によって回転駆動されるラッチ駆動部材（又は駆動カム）４６を更に備え、このラッチ駆動部材４６は、図２、図３及び図６に示すように、ラッチ部材３０の板厚を貫通する形態の駆動部材配置部３６内に配置されその軸部４６Ｓをラッチケース２０に回転自在に支持してラッチケース２０に取り付けられている。ラッチ駆動部材４６は、ラッチ部材３０の駆動部材配置部３６の係合部分３６Ｅに係入する駆動片４６Ｄとラッチ部材３０の駆動部材配置部３６から外れてラッチ部材３０の内面（ラッチケース２０の壁に触れない面）上を延びるロック解放片４６Ｒとを有する。なお、図４において、符号４８は、ローター４２を所定位置に保持するボール弾発式クリック機構を示す。
【００１９】
ラッチ部材３０の駆動部材配置部３６の係合部分３６Ｅは、ラッチ駆動部材４６がラッチ部材３０をラッチ位置Ｐ１や非ラッチ位置Ｐ２に向けて駆動するように回転する際に、駆動片４６Ｄが係合部分３６Ｅの相対する壁の一方または他方を押すようにこれらの壁に係合するが、ラッチ部材３０がラッチ位置Ｐ１に向けて駆動される過程でラッチ部材３０が所定の突出量を越えると、図７（Ｃ）、図７（Ｄ）に示すように、駆動片４６Ｄが係合部分３６Ｅから外れて駆動部材配置部３６の壁を摺動しながら回転するのを許し、またラッチ部材３０がラッチ位置Ｐ１に前進してもラッチ駆動部材４６がラッチ部材３０に干渉しない逃げ部分３６Ｉを形成するように、やや楕円に類似した形状に設定されている。図示の形態では、係合部分３６Ｅは、突部３２に対応した位置に形成されている。
【００２０】
ロック手段５０は、ラッチケース２０の案内壁２４’の外側に配置さればね５２によって案内壁２４’を貫通しラッチ部材３０の切欠き３４に係入するように付勢されたロック部材５４から成っている。ラッチ部材３０の切欠き３４は、ラッチ部材３０がラッチ位置Ｐ１に達したときにロック部材５４に対向する位置に形成されている。ラッチ駆動部材４６のロック解放片４６Ｒは、図５（Ａ）、（Ｂ）に示すように、先端に丸みを有し、この丸い先端は、ラッチ部材３０のラッチ位置Ｐ１でロック部材５４の傾斜面５４Ｓに係合しており、ラッチ駆動部材４６がラッチ部材３０のラッチ位置Ｐ１から非ラッチ位置Ｐ２に向けて回転する際にロック部材５４を傾斜面５４Ｓに沿って後退させてロックを解放するように作用する。
【００２１】
本発明のラッチ装置１０は、ラッチ部材３０が非ラッチ位置Ｐ２からラッチ位置Ｐ１に駆動された後ラッチ駆動手段４０のローター４２を初期位置（ラッチ位置へ駆動を開始する位置）の方向に復帰し、またラッチ部材３０がラッチ位置Ｐ１から非ラッチ位置Ｐ２に駆動された後ラッチ駆動手段４０のローター４２を初期位置（非ラッチ位置へ駆動を開始する位置）の方向に復帰するように付勢するローター付勢手段６０を更に備えている。図示の形態では、この初期位置は、ローター４２がラッチ部材３０のラッチ位置Ｐ１に達した時の第１ローター回転位置とラッチ部材３０の非ラッチ位置Ｐ２に達した時の第２ローター回転位置との中間位置である。第１と第２のローター回転位置の角度間隔は、後に述べるように、略９０度であるので、初期位置と第１ローター回転位置との間の角度及び初期位置と第２ローター回転位置との間の角度はそれぞれ略４５度である。
【００２２】
本発明の第１の実施の形態では、図２及び図３に示すように、ラッチ駆動手段４０のローター４２がラッチ駆動部材４６をラッチ位置Ｐ１又は非ラッチ位置Ｐ２に向けて回転駆動するが、その回転方向とは反対方向に所定角度相対回転することができるように、ローター４２の断面矩形状の結合端４２Ｅがラッチ駆動部材４６の内部に差し込まれてラッチ駆動部材４６に組み付けられている。
【００２３】
ローター４２がラッチ駆動部材４６を回転駆動するためにローター４２の断面矩形状の結合端に係合する２つのＶ字形係合壁４６Ｗ、４６Ｗ’がラッチ駆動部材４６の内周に形成されているが、これらの係合壁４６Ｗ、４６Ｗ’は、図５及び図７に示すように、互い違いに配置されているため、ローター４２の矩形状の結合端４２Ｅは、これらの２つの係合壁４６Ｗ、４６Ｗ’の間に形成される空間の中で所定角度（図示の場合には略４５度）で相対回転することができる。
【００２４】
ローター付勢手段６０は、図４、図８及び図９に示すように、ローター４２の周りに配置されてローター４２に係止される２つの係止部６２Ｅ、６２Ｅ’を両端に有する巻きばね６２から成っている。この巻きばね６２は、図２及び図４（B）に示すように、保持筒４４Ｃのローター貫通壁４４ＣＷの背面に設けられたばね収納空間４４ＣＳ内に保持されている。図４（Ｃ）（Ｄ）から解るように、ローター４２は、巻きばね６２の２つの係止部６２Ｅ、６２Ｅ’が係止される壁を形成するような略Ｖ字形の切欠き４２Ｎを有する。
【００２５】
次に、本発明の第１の実施の形態によるラッチ装置１０の動作を図５及び図７を参照して説明する。図５は、ラッチ装置１０を施錠状態から解錠状態にする動作を示し、また図７は、ラッチ装置１０を解錠状態から施錠状態にする動作を示す。
【００２６】
まず、図５を参照しつつ施錠状態から解錠状態にする動作を説明すると、施錠状態では、ラッチ駆動部材４６は、図５（Ａ）に示すように、駆動片４６Ｄが係合部分３６Ｅから外れて駆動部材配置部３６の円弧状壁に係合している。図１及び図４のシリンダ錠４４のキー差し込み溝４４Ｋにキーを差し込んでこのキーを図５（Ａ）の位置から反時計方向に回転すると、シリンダ錠４４の錠本体であるローター４２も同方向に回転し、ラッチ駆動部材４６のロック解放片４６Ｒがロック手段５０のロック部材５４をばね５２に抗して引き込ませながら、ローター４２の結合端４２Ｅ及びラッチ駆動部材４６の係合壁４６Ｗ、４６Ｗ’を介してラッチ駆動部材４６も同方向に回転する。ラッチ駆動部材４６のこの回転の過程で、先ず、ラッチ駆動部材４６の駆動片４６Ｄは、ラッチ部材３６の係合部分３６Ｅに係合し（図５（Ｂ）参照）、ラッチ部材３６をラッチケース２０内に引き込む（図５（Ｃ）参照）。このラッチ駆動部材４６の回転は、図８に示すように、巻きばね６２の係止部６２Ｅ’を係止部６２Ｅに接近するように巻きばね６２を巻き込むので、ローター４２を時計方向に戻す方向に付勢されている。従って、キーを持つ手の力を抜くと、キーと共にローター４２が時計方向に戻され、図５（Ｄ）に示すように、ローター４２は、矩形状結合端４２Ｅが２つのＶ型係合壁４６Ｗ、４６Ｗ’の他方の傾斜面に係合する初期位置（図５（Ａ）と同じ姿勢位置）に自動的に復帰する。
【００２７】
図７を参照しつつ施錠状態から解錠状態にする動作を説明すると、解錠状態では、ラッチ駆動部材４６は、図７（Ａ）（これは、図５（Ｄ）と同じである）に示すように、駆動片４６Ｄが係合部分３６Ｅに係入している。図１及び図４のシリンダ錠４４のキー差し込み溝４４Ｋにキーを差し込んでこのキーを図７（Ａ）の位置から時計方向に回転すると、シリンダ錠４４の錠本体であるローター４２も同方向に回転し、ローター４２の結合端４２Ｅ及びラッチ駆動部材４６のＶ型係合壁４６W、４６Ｗ’を介してラッチ駆動部材４６も同方向に回転する。ラッチ駆動部材４６のこの回転の過程で、ロック解放片４６でロック手段５０のロックを解除しつつ、先ず、ラッチ駆動部材４６の駆動片４６Ｄは、ラッチ部材３６の係合部分３６Ｅから外れるように移動するが、駆動部材配置部３６の壁を介してラッチ部材３０をラッチ位置方向に押し続ける（図７（Ｃ）参照）。このラッチ駆動部材４６の回転は、図９に示すように、巻きばね６２の係止部６２Ｅを係止部６２Ｅ’に接近するように巻きばね６２を巻き込むので、ローター４２を反時計方向に戻す方向に付勢されている。従って、キーを持つ手の力を抜くと、キーと共にローター４２が反時計方向に戻され、図７（Ｄ）に示すように、ローター４２は、矩形状結合端４２Ｅが２つのＶ型係合壁４６Ｗ、４６Ｗ’の他方の傾斜面に係合する初期位置（図５（Ａ）と同じ姿勢位置）に自動的に復帰する。
【００２８】
第１の実施の形態によるラッチ装置は、上記のように、ラッチ部材３０がラッチ位置Ｐ１に保持された後、ローター４２をラッチ位置Ｐ１の方向への回転前の初期位置に向けて復帰したり、ラッチ部材３０が非ラッチ位置Ｐ２に保持された後、ローター４２を非ラッチ位置Ｐ２の方向への回転前の初期位置に向けて復帰したりすると、ローター４２が初期位置に復帰しないでラッチ位置に相応する位置と非ラッチ位置に相応する位置との間を回転する場合に比べてローター４２に差し込まれるキーの回転角度は小さくてすむので、キー操作を簡単にすることができ、ラッチ装置１０の操作性を向上する。
【００２９】
本発明の第２の実施の形態によるラッチ装置１０が図１０乃至図１２に示され、この実施の形態によるラッチ装置１０は、ローター４２の十字形結合端４２Ｅがラッチ駆動部材４６に一体に回転するようにラッチ駆動部材４６の十字形係入溝４６Ｇに係入して結合され、ラッチ駆動部材４６の駆動片４６Ｄもロック解放片４６Ｒと同じ面上に位置してこの駆動片４６Ｄに係合してラッチ部材３０をラッチ位置に駆動するピン状係合部３０Ｐがラッチ部材３０に設けられ、ラッチ部材３０を非ラッチ位置Ｐ２に付勢するばね３８が案内壁２４から直角に延びるばね受け２４Ｓとラッチ部材３０の肩部３０Ｓとの間に配置されていることを除いて第１の実施の形態によるラッチ装置１０と同じであり、第１の実施の形態と同じ部分には同じ符号が付されている。図示していないが、ローター４２は、第１の実施の形態と同様の巻きばね(図示せず)によってラッチ位置Ｐ１又は非ラッチ位置Ｐ２に向けて回転駆動された後、これらの位置に相応する位置の中間に復帰するようになっている。
【００３０】
この第２の実施の形態によるラッチ装置の動作は、ラッチ部材３０がラッチ駆動部材４６の駆動片４６Ｄによって係合部３６Ｐを介してラッチ位置Ｐ１に駆動され、駆動片４６Ｄが係合部３６Ｐから離反してばね３８によって非ラッチ位置Ｐ２に駆動されることを除いて第１の実施の形態によるラッチ装置の動作と実質的に同じであるので、詳細な説明は省略する。
【産業上の利用可能性】
【００３１】
本発明によれば、ローターをラッチ位置又は非ラッチ位置へ回転駆動するローターの角度変位が小さくて済み、キー操作が簡単でラッチ装置の操作性を向上することができるので、産業上の利用性が高くなる。
【符号の説明】
【００３２】
１０  ラッチ装置
２０  略矩形状のラッチケース
２２  ねじ貫通孔
２４、２４’ 案内壁
２４Ｒ  案内壁２４のへこみ
２４Ｒ１、２４Ｒ２  へこみ２４Ｒの相対する壁
３０  ラッチ部材
３０Ｐ  ピン状係合部
３０Ｓ  肩部
３２  突部
３４  切欠き
３６  駆動部材配置部
３６Ｅ  係合部分
３６Ｉ  逃げ部分
３８  ばね
４０  ラッチ駆動手段
４２  ローター
４２Ｅ  結合端
４２Ｎ  略Ｖ字形の切欠き
４４  シリンダ錠
４４Ｃ  保持筒
４４ＣＷ  ローター貫通壁
４４ＣＳ  ばね収納空間
４６  ラッチ駆動部材
４６Ｓ  軸
４６Ｄ  駆動片
４６Ｒ  ロック解放片
４６Ｗ、４６Ｗ’Ｖ字形係合壁
４６Ｇ  十字形係入溝
４８  ローター４２のボール弾発式クリック機構
５０  ロック手段
５２  ばね
５４  ロック部材
５４Ｓ  傾斜面
６０  ローター付勢手段
６２  巻きばね
６２Ｅ、６２Ｅ’ ２つの係止部
Ｐ１  ラッチ位置
Ｐ２  非ラッチ位置
【図１】
2010163839.tif 000003
【図２】
2010163839.tif 000004
【図３】
2010163839.tif 000005
【図４】
2010163839.tif 000006
【図５】
2010163839.tif 000007
【図６】
2010163839.tif 000008
【図７】
2010163839.tif 000009
【図８】
2010163839.tif 000010
【図９】
2010163839.tif 000011
【図１０】
2010163839.tif 000012
【図１１】
2010163839.tif 000013
【図１２】
2010163839.tif 000014